(57)【要約】  知的財産権の取引を容易にする知的財産取引交換装置が開示されている。この交換装置は、知的財産権に関する少なくとも１つの知的財産ライセンス契約と、複数の参加者がライセンス契約を取り引きすることを可能にするフォーラムとを含む。複数の参加者には少なくともひとりの売主が含まれ、この売主は、ライセンス契約を有しておりそのライセンス契約を取り引きすることを希望している権利者でありうる。更に、複数の参加者には、ライセンス契約の取得を希望する少なくともひとりの買主が含まれる。この買い主は、投資家、投機家、マーケット・メーカー又は裁定取引人を含んでおり、彼らは当該ライセンス契約を購入して価格の上昇を達成する。買主は、ライセンス契約を購入して知的財産権を実行するライセンシーである場合もある。
2009521734.tif 000002
【特許請求の範囲】
【請求項１】
知的財産権の取引を容易化する知的財産取引交換装置であって、
知的財産権に関する少なくとも１つの知的財産ライセンス契約と、
取引の少なくとも１つの規制と前記交換装置でのリスト化の少なくとも１つの必要条件とを定義するフォーラムであって、複数の参加者が前記少なくとも１つのライセンス契約を取り引きすることを可能にし、前記複数の参加者は、
前記少なくとも１つのライセンス契約を有しており、前記少なくとも１つのライセンス契約を取り引きすることを希望する少なくともひとりの売主と、
前記少なくとも１つのライセンス契約を取得することを希望する少なくともひとりの買主と、
を含むフォーラムと、
を含むことを特徴とする知的財産取引交換装置。
【請求項２】
請求項１記載の取引交換装置において、前記知的財産権は、特許、著作権、商標、トレードドレス及びトレード・シークレットから構成されるグループから選択されることを特徴とする取引交換装置。
【請求項３】
請求項１記載の取引交換装置において、前記知的財産権は、登録された特許、登録された著作権、登録された商標及び任意のそれ以外の付与された又は登録された知的財産から構成されるグループから選択されることを特徴とする取引交換装置。
【請求項４】
請求項１記載の取引交換装置において、前記知的財産権は、継続中の特許出願、継続中の商標登録出願及び任意のそれ以外の継続中の知的財産出願又は登録から構成されるグループから選択されることを特徴とする取引交換装置。
【請求項５】
請求項１記載の取引交換装置において、前記複数の参加者は、前記少なくとも１つのライセンス契約の前記希望されている取引を引き受ける（アンダーライトする）ことが可能な少なくとも１つの投資銀行を更に含むことを特徴とする取引交換装置。
【請求項６】
請求項５記載の取引交換装置において、前記少なくとも１つの投資銀行は前記少なくとも１つのライセンス契約をチェックして前記交換装置におけるリスト化の前記少なくとも１つの必要条件とのコンプライアンスを確認できることを特徴とする取引交換装置。
【請求項７】
請求項５記載の取引交換装置において、前記少なくとも１つの投資銀行は前記知的財産権のレーティングをすることができ、前記レーティングは前記知的財産権の法的分析に基づいて前記知的財産権の強さを示すことを特徴とする取引交換装置。
【請求項８】
請求項５記載の取引交換装置において、前記少なくとも１つの投資銀行は前記取引トランザクションの間に前記知的財産権を保証することができることを特徴とする取引交換装置。
【請求項９】
請求項５記載の取引交換装置において、前記少なくとも１つの投資銀行は前記知的財産権の市場性（marketability）に基づいて前記知的財産権を評価することを特徴とする取引交換装置。
【請求項１０】
請求項５記載の取引交換装置において、前記少なくとも１つの投資銀行は前記知的財産権を侵害者及び／又は前記少なくとも１つのライセンス契約を購入することを拒否する者に対して執行することができることを特徴とする取引交換装置。
【請求項１１】
請求項５記載の取引交換装置において、前記少なくとも１つの投資銀行は任意の執行手続きからの収益を用いて少なくとも１つのライセンス契約を購入することができることを特徴とする取引交換装置。
【請求項１２】
請求項１記載の取引交換装置において、前記少なくともひとりの買主は少なくとも１つのライセンス契約を購入して価格の上昇（appreciation）を達成するように構成されている投資家を含むことを特徴とする取引交換装置。
【請求項１３】
請求項１２記載の取引交換装置において、前記投資家は前記少なくともひとりの売主、前記少なくともひとりの買主又は投資銀行に代わって行為することを特徴とする取引交換装置。
【請求項１４】
請求項１２記載の取引交換装置において、前記投資家は値付け業者（market maker）、投機家又は裁定取引人を含むことを特徴とする取引交換装置。
【請求項１５】
請求項１２記載の取引交換装置において、前記少なくともひとりの投資家はライセンシーであることを特徴とする取引交換装置。
【請求項１６】
請求項１記載の取引交換装置において、前記少なくともひとりの買主は、少なくとも１つのライセンス契約を購入して前記知的財産権を実行するように構成されていることを特徴とする取引交換装置。
【請求項１７】
請求項１記載の取引交換装置において、前記少なくともひとりの売主は、前記知的財産の権利者、投資銀行又は投資家を含むことを特徴とする取引交換装置。
【請求項１８】
知的財産権に関する少なくとも１つのライセンス契約を前記ライセンス契約の少なくともひとりの売主から知的財産交換装置を通じて少なくともひとりの買主に取り引きする方法であって、
前記少なくともひとりの売主が前記知的財産交換装置において前記少なくとも１つのライセンス契約をリスト化するステップと、
前記少なくともひとりの買主が前記知的財産交換装置を通じて前記少なくとも１つのライセンス契約を購入するステップと、
前記知的財産交換装置が前記少なくとも１つのライセンス契約の前記買主による前記購入を清算するステップと、
を含むことを特徴とする方法。
【請求項１９】
請求項１８記載の方法において、前記知的財産権は、特許、著作権、商標、トレードドレス及びトレード・シークレットから構成されるグループから選択されることを特徴とする方法。
【請求項２０】
請求項１８記載の方法において、前記知的財産権は、登録された特許、登録された著作権、登録された商標及び任意のそれ以外の付与された又は登録された知的財産から構成されるグループから選択されることを特徴とする方法。
【請求項２１】
請求項１８記載の方法において、前記知的財産権は、継続中の特許出願、継続中の商標登録出願及び任意のそれ以外の継続中の知的財産出願又は登録から構成されるグループから選択されることを特徴とする方法。
【請求項２２】
請求項１８記載の方法において、前記少なくともひとりの買主は前記少なくとも１つのライセンス契約を購入して価格の上昇（appreciation）を達成する投資家を含むことを特徴とする方法。
【請求項２３】
請求項２２記載の方法において、前記投資家は値付け業者（market maker）、投機家又は裁定取引人（arbitrageur）を含むことを特徴とする方法。
【請求項２４】
請求項１８記載の方法において、前記少なくともひとりの買主は、少なくとも１つのライセンス契約を購入して前記知的財産権を実行することを特徴とする方法。
【請求項２５】
請求項１８記載の方法において、前記少なくともひとりの売主は、前記知的財産の権利者、投資銀行又は投資家を含むことを特徴とする方法。
【請求項２６】
知的財産権を権利のひとりの売主から知的財産交換装置を通じて少なくともひとりの買主に取り引きする方法であって、
前記少なくともひとりの売主が少なくとも１つの投資銀行に、前記知的財産権を少なくともひとりの買主にサブライセンスする権利を含む前記知的財産権の排他的ライセンス（専用実施権、exclusive license）を提供するステップと、
前記少なくとも１つの投資銀行が前記知的財産権のデューデリジェンス・リビュー（due diligence review）を実行して前記権利の強さを評価するステップと、
前記少なくとも１つの投資銀行が前記知的財産権の前記排他的ライセンスを受け取るステップと、
前記少なくとも１つの投資銀行が前記知的財産交換装置において前記知的財産権の少なくとも１つのライセンス契約をリスト化するステップと、
前記少なくともひとりの買主が前記知的財産交換装置を通じて前記少なくとも１つのライセンス契約を購入するステップと、
前記知的財産交換装置が前記少なくとも１つのライセンス契約の前記買主による前記購入を清算するステップと、
を含むことを特徴とする方法。  
【請求項２７】
請求項２６記載の方法において、前記少なくとも１つの投資銀行は前記知的財産権を侵害者及び／又は前記少なくとも１つのライセンス契約を購入することを拒否する者に対して執行することができることを特徴とする方法。
【請求項２８】
請求項２６記載の方法において、前記少なくともひとりの買主は前記少なくとも１つのライセンス契約を購入して価格の上昇（appreciation）を達成する投資家を含むことを特徴とする方法。
【請求項２９】
請求項２６記載の方法において、前記少なくともひとりの買主は、少なくとも１つのライセンス契約を購入して前記知的財産権を実行することを特徴とする方法。
【請求項３０】
請求項２６記載の方法において、前記少なくともひとりの売主は、前記知的財産の権利者、投資銀行又は投資家を含むことを特徴とする方法。
【発明の詳細な説明】
【関連出願】
【０００１】
この出願は、２００５年４月１８日にファイルされた米国仮特許出願６０／６７２，３２４番への優先権の効果を求めている。この米国特許出願は、その全体をこの出願において援用する。
【技術分野】
【０００２】
本発明は、取引交換、特に交換、および、特許中の権利を含む知的財産（ＩＰ）権を交換する方法に関する。特許、著作権、トレードマーク、トレードドレスおよびトレードシークレット（業務上の秘密）を含む。
【背景技術】
【０００３】
ＩＰ権の市場がこれほど強かったことはこれまでにない。２００５年には、例えば、ＩＰ権の許可からのロイヤリティーが収益で１０００億ドル以上を占めた。ＩＰ権の売り手（あるいは許可者）および買主（あるいはライセンス取得者）の両方には、増加した許可する要求のために近年本質的な収益を得るポテンシャルがあった。
【０００４】
現在、ＩＰ権の許可を行なうための集中型の市場はない。もっと正確に言えば、許可する資本を望むＩＰ権利者は、潜在的なライセンス取得者からの企てを請求し、ライセンス契約を協定しなければならない。そのトランザクションは許可あるいは他の著しい財産あるいは長所の販売に似ていて、どんな取り引きも閉じる前に、週、数か月あるいは年などかかるかもしれない。
【０００５】
市場を許可する現在のＩＰの欠点は、ＩＰ権利者が積極的に許可のためのパーティーを追求しなければならないということである。このプロセスは両方とも時間消費かもしれない、そしてＩＰ権利者が競争者の外側の全市場に通常完全に気づいておらず、しばしば市場を研究する時間およびお金をささげなければならないので、高価。しばしば、ＩＰ権利者は、パーティーがＩＰライセンスからどれに役立つかもしれないか決めて次に、興味をそれらのパーティーに求める高価な許可するキャンペーンに従事する。それは、潜在的なライセンス取得者をすべて識別し対象とするために年の期間を拡張するキャンペーンの許可には異常ではない。
【０００６】
市場を許可する現在のＩＰの別の欠点は、ＩＰに対する値を決定している。潜在的なライセンス取得者が識別された後、ＩＰ権利者および潜在的なライセンス取得者はＩＰ権のためのロイヤリティーか固定価格を協定しなければならない。付値は確立している産業で適正に固定しているかもしれないが、新しい技術あるいは出現する技術と関係するＩＰのための適正価値に到着することは、容易に遂行されないかもしれない。任意の技術では、付値プロセスは週どころかどんなライセンス契約も署名される前に交渉する数か月を要求するかもしれない。いくつかの評価方法は、米国特許出願出版２００３／０２００１０４番によってヘミングら（「ヘミング出願」）に発表された方法のようなこのプロセスを早めた。しかし、ヘミング・アプリケーションは、新しい技術あるいは出現する技術、許可する市場の決定で上に記述された問題のための付値に取り組まない。
【０００７】
現在のＩＰ市場ＩＰでは、訴訟は、ライセンスのために受理するか払うことを拒絶する侵害者またはパーティーに対してＩＰ権利者が持っているかもしれない求償権のただ一つの手段である。このために、市場をしばしば許可する現在のＩＰは、主として既にあるＩＰ権を侵害しているパーティーに注目することにより反応的である。例えば、ＩＰ権利者は、競争者がある特許が取られたデバイスを作っているか使用していることを発見してもよい。万一、許可する交渉が成功する（あるいはオプションでない）と分からなければ、ＩＰ権利者が侵害者の特許が取られたデバイスの使用のために正当に補正される前に、ＩＰ権利者は特許権侵害訴訟に普及していなければならないかもしれない。特許権侵害訴訟は多くの場合ドルの非常に高価で、時々コストがかかる多数の多数である。また、解決はめったに迅速ではない。言いかえれば、ＩＰ権利者は数百万ドルを費やし、ＩＰからのどんな金融利得も実現して、特許権侵害行為に、および最後に普及している前に数年待たなければならないかもしれない。
【０００８】
市場を許可する従来のＩＰの２、３の代わりが特許プールおよび特許ライセス為替会社のように存在する。特許プールは、例えば、標準と典型的に関係のあるＩＰを集めて、非もっぱら共通項の下でそれを許可する。特許ライセス為替会社は、他方では、特許とライセンスを購入するかあるいは侵害者に対してそれらを強化するために資金（時々数億ドルと同じくらいの）を調達する。特許プールおよび特許ライセス為替会社は従来のＩＰを許可するプロセスを早める傾向があるが、それらはしばしばＩＰの値を犠牲にしてそうする。例えば、特許プールは、プール中の各特許の最大価値を受け取らないかもしれない。全プール用市場性を維持するために、プール内のある特許は、相当に割引されるかもしれないし許可されるかもしれない、割引された特許が個々に許可された場合、市場よりよりはるかに提供してはならない。
【０００９】
便利な市場は、ストックおよび他の証券のような、他のタイプの財産権および財産、商品、先物および環境排出物などを売買すること（あるいは取引）のために存在する、可能にする。例えばニューヨーク証券取引所（「ＮＹＳＥ」）のような様々な交換、活動的に、業者在庫と証券。他の交換、シカゴ商品取引所（「ＣＢＯＴ」）のように活動的に、貿易商品および先物。また、ほとんどの今日の売買活動は電子的に行なわれているが、米国証券業協会（「ナスダック」）のようないくつかの交換は、集中型の取引所を利用せずに、完全に電子的に交換される。取り引きする交換は、速く容易に取り引きされる株および証券のような、両方の新規株式公募（「ＩＰＯ」）上の、および日まで後日のトランザクション中の資産を考慮に入れる。その結果、そのような資産の権利者は取り引きのために即時の市場を持っており、買主を捜し出し、かつ価格を協定して数か月を過ごす必要はない。
【００１０】
現在、ＩＰ権を交換するための便利で中心に集められた市場はない。従って、ＩＰの許可する市場、およびＩＰの値を最大限にする迅速なやり方でＩＰ権を交換する方法の必要がある。
【発明の概要】
【００１１】
本発明のある特徴により、知的財産権の取引を容易化する知的財産取引交換装置（intellectual property trading exchange、）が開示される。この交換装置は、知的財産権に関する少なくとも１つの知的財産ライセンス契約と、複数の参加者がライセンス契約を取り引きすることを可能にするフォーラムとを含む。複数の参加者には、ライセンス契約を有しており、そのライセンス契約を取り引きすることを希望する少なくともひとりの売主が含まれる。また、複数の参加者には、ライセンス契約を取得することを希望する少なくともひとりの買主が含まれる。
【００１２】
本発明の別の特徴によると、知的財産権に関する少なくとも１つのライセンス契約を前記ライセンス契約の少なくともひとりの売主から知的財産交換装置を通じて少なくともひとりの買主に取り引きする方法が開示される。この方法は、売主が知的財産交換装置においてライセンス契約をリスト化するステップと、買主が知的財産交換装置を通じてライセンス契約を購入するステップと、知的財産交換装置がライセンス契約の買主による購入を清算するステップと、を含む。
【発明の実施の形態】
【００１３】
知的財産（「ＩＰ」）の現在の市場および現在の交換の高度の知識は、ＩＰ市場の効率を開発し、かつＩＰ取引交換を通じてＩＰ付値を最大限にする機会を提供する。ＩＰ取引交換は特許を含むすべてのタイプのＩＰを許可するか売るために使用されてもよい、著作権を取る、トレード・マーク、トレードドレスおよび業務上の秘密。さらに、本発明の１つの実施例では、ＩＰは交付済み特許、公認の著作権、登録商標あるいは他の与えられたか公認のＩＰを含んでいるかもしれない。本発明の別の実施例では、ＩＰは商標出願、あるいは他の未決のＩＰ出願か、レジストレーションを保留にして、係属特許出願を含んでいるかもしれない。
【００１４】
株式取得申込を交換するＩＰ、ＩＰ権利者、ライセンス取得者あるいは金融投資者か、投機家がライセンスによってＩＰ権を買うか売ってもよく、そして、先物取引を関連づけたフォーラム。例えば、本発明の１つの実施例に従って、ＩＰ取引交換はライセンスによってＩＰ権を買うか売るために使用されてもよい。その後、それは、発明を実行するかあるいは侵害しているかもしれない現在のオペレーションを合法と認めるために使用されてもよい。本発明の別の実施例に従って、ＩＰ取引交換は先物取引を通じて思索的なＩＰ権を買うか売るために使用されてもよい。そのゴールは、いつか上値のために再度売ることにより高騰を今後得ることである。
ＩＰ取引交換の重要な要素
下記は、本発明の１つ以上の実施例に従うＩＰ取引交換の重要な要素の説明である。ＩＰ取引交換は、ＩＰ取引交換のセットアップ、執行および日常作業に必要な任意の追加素子と同様にこれらのエレメントのうちのいくつかあるいはすべてを持っているかもしれない。
【００１５】
知的財産。知的財産（「ＩＰ」）は特許、著作権、トレード・マーク、トレードドレス、業務上の秘密、および他の無形の考えか、表現を含んでいる。ＩＰは法的な権利の形式である。それは、その権利者かホルダーが使用、ＩＰの製造あるいは販売をコントロールすることを可能にする。例えば、特許は、発明の実行から権利者かホルダーが他のものを除外することを可能にする。メーカーおよび他の潜在的なホルダーは、特許権者からの権利の許可か購入により、除外された発明を実行する権利を獲得する。ＩＰ取引交換に、下記に述べられるように、あるＩＰは交換上でリストするために読み込まれる。
【００１６】
ＩＰ権利者。ＩＰ権利者（ライセンサー、許諾者、許可者）はロイヤリティーあるいはライセンス契約によって規定されるような他の補償と交換にライセンス取得者に許可することおよびサブ免許権を提供する。本発明の１つの実施例に従って、ＩＰ権利者は現金払いと交換に投資銀行にＩＰを許可する。本発明の別の実施例に従って、ＩＰ権利者は、ＩＰライセンス契約のリスティングおよび証券発行引受をそれ自体ＩＰ投資銀行の支援なしで行なう。ＩＰ権利者は多数の個人および（または）実在物を含んでもよい。例えば、ＩＰ権利者は、特定生産品か産業に関係のある様々な知的所有権の権利者をすべて含んでもよい。
【００１７】
ＩＰ投資銀行。本発明の１つ以上の実施例に従って、投資銀行はＩＰ権利者からＩＰ権を受け取り、上場あるいはＩＰ取引交換上の介在物のためにそれらをパッケージにする。
具体的には、投資銀行はＩＰを下記に述べられると考えて、保証し、評価する。さらに、投資銀行は、許可するトランザクションの下に書くような他の機能を行なってもよい。さらに、投資銀行は、取引の調整、およびＩＰ取引交換上でリストする必要条件にＩＰライセンス契約が従うことを証明してもよい。その後、投資銀行は、ＩＰ取引交換および再実施権上のＩＰをリストしてもよい、遠近法の買主へのＩＰ。本発明の別の実施例では、万一侵害者がＩＰ取引交換からのライセンスを購入しなければ、ＩＰ投資銀行にはＩＰを強化する権利があってもよい。ＩＰ権利者は、もし望まれればあるいは必要ならば、任意の施行訴訟手続きでＩＰ投資銀行に加わることに決めてもよい。
【００１８】
交換を交換するＩＰ。ＩＰ取引交換モニター開示（保証トランザクション）、また今日の交換によって行なわれた他の機能に加えて、今日の商品および先物為替に似ているトランザクションを取り除く。ＩＰ取引交換は、政府規制と同様に交換によって作成された調整も含めて、取り引きに関係のある調整をモニターしかつ／または強化するかもしれない。
さらに、ＩＰ取引交換は、交換上のＩＰライセンス契約をリストするための必要条件をモニターしかつ／または強化するかもしれない。最初の提供の後に、下記に述べられるように、ＩＰ値付は連続的か日々の取引によって達成される。ＩＰ取引交換は、情報に値をつけるトラックを維持し、リアルタイム方式についての情報に値をつけることを提供する。
情報に値をつけることは、任意の印刷（例えば新聞、ファクシミリ）あるいは電子の（例えばティッカー、ＲＳＳ材料、ｗｅｂｓｔｒｅａｍ、電子メール、インターネット・ウェブ・ページ）ミディアムで提供されるかもしれない。さらに、ＩＰ取引交換は産業平均あるいはインデックスの形をしている情報に値をつけることを提供するかもしれない。それは、様々な技術、産業および（または）会社に関係のあるライセンス契約のための情報に値をつける平均に基づくかもしれない。
【００１９】
ＩＰ投資者。ＩＰ投資者（それらは投機家、市場開発者および裁定取引者を含んでもよい）は市場に流動性を加える。ＩＰ投資者はＩＰ許可および（または）上値で再度今後いつか契約を売るゴールを備えた先物取引を購入する、次に、本発明のいくつかの実施例、ＩＰ投資者は許可者またはライセンス取得者を代表して行動してもよい。
【００２０】
ライセンス取得者。ライセンス取得者は、ＩＰ取引交換のＩＰ権および消費者の最終の買主である。ライセンス取得者は、発明を実行するために許可するＩＰを購入する。Ｌｉ、いくつかの事件、ライセンス取得者は、侵害しているかもしれない現在のオペレーションを合法と認めるために許可するＩＰを購入する。本発明のいくつかの実施例では、ライセンス取得者は、さらにＩＰ投資者を務めてもよい。ＩＰ権の最初の提供。
【００２１】
実例のみの目的のために、ＩＰ取引交換は今日のストックおよび商品取引所のハイブリッドと見なされるかもしれない。例えば、特別のＩＰへの権利の最初の提供は、従来の株式取引所上のストック新規株式公募（「ＩＰＯ」）に基づいて作られるかもしれない。
【００２２】
ＩＰの最初の提供の第一歩、ＩＰ権利者は、それが許可することを望むＩＰを識別する。その後、それは、リスティングおよび証券発行引受プロセスを行なうＩＰ投資銀行からの努力を請求する。
あるいは、ＩＰ権利者はリストし証券発行引受プロセスを自体行なってもよい。
【００２３】
ＩＰ権利者がＩＰ投資銀行、次にリストし証券発行引受プロセスで述べられたＩＰ投資銀行、およびＩＰ権利者を利用する場合、投資銀行のうちの１つを典型的に選ぶ、最低入札人、プロセスを前に伴うために投資銀行、典型的に、空電解処理、リストし証券発行引受プロセスのための料金体系、ＩＰの成功に基づいた固定料金、成功あるいはパーセンテージ料金かもしれない、最初の提供、あるいは固定でと成功の両方料金の組合せ。
【００２４】
次に、選ばれたＩＰ投資銀行は、リスティング・プロセスの適当なデューデリジェンスを始めてもよい。下記に述べられるように、適当なデューデリジェンスは次のものを含んでいる：リスティング用のＩＰをパッケージにすること；ＩＰの強さおよび所有権の法的分析を行なうこと；
ライセンス取得者からＩＰまで製品、ＩＰを侵害するかもしれないし、要求するかもしれないパーティーあるいは給付金の市場分析を行なうこと；評価分析を行なうこと；またＩＰを売ること。適当なデューデリジェンスは、ＩＰ権利者および（または）ＩＰ投資銀行によって導かれるかもしれない。あるいは、適当なデューデリジェンス（due diligence）は、弁護士、エコノミスト、市場調査会社あるいは他の専門家およびサードパーティに外部に発注されるかもしれない。
【００２５】
ＩＰをパッケージにすることによって、ＩＰ権利者（あるいは例えば市場調査会社）リスティングに適切なＩＰのどれを含まなければならないか決める。例えば、ＩＰ権利者は１つの特許だけを持っているかもしれない。また、その特許だけがリストされるだろう。しかし、ＩＰ権利者が多数のＩＰあるいは複合の関連するＩＰを持っているインスタンスでは、単一のリストにどのＩＰを含まなければならないか決めることは熟慮を要求するかもしれない。例えば、ＩＰは、自動車の特別の自動車かラインと関係する特許とトレード・マークの万物のような、製品あるいは製品グループによってグループ化されるかもしれない。別の例として、ＩＰは親特許およびすべてに特許を関連づけることのように、特許のファミリーによってグループ化されるか、あるいは親に基づくかもしれない。
【００２６】
ＩＰの法的分析は、ＩＰに、強さ、あるいは少なくとも強さに関する見解を決定することである。例えば、特許で、先行技術は査定されるかもしれない。また、見解は先行技術に基づいたどんな可能な就労不能問題に関しても作られるかもしれない。さらに、クレーム・チャートは作られるかもしれない。また、クレームは特許の報道のスコープを決定するために解釈されるかもしれない。任意の譲渡の適切な記録、優先権主張の完成および（または）任意の年金あるいは管理費の支払いのように、ある式量濃度に続いたことを保証することも重要かもしれない。例えば業務上の秘密で、範囲、どれに、業務上の秘密、機密にしておかれた、秘密保持契約が使用されたとしても含めて、査定されるかもしれない、そしてトレード・シークレットが発表されたか教えたか、実証した範囲。別の例として、トレード・マークで、トレード・マーク探索および（または）消費者調査はマークの商標認識度か強さを決定するために行なわれるかもしれない。さらに、役に立つステートメントおよび（または）任意の年金あるいは管理費の支払いの適時の綴じこみのように、式量濃度に続いたかどうか判断することは重要かもしれない。
【００２７】
ＩＰの付値は、ＩＰ、使用する能力あるいは代用品または競争技術のアベイラビリテイの強さのような多数の要因、技術の市場必要および（または）市場の規模の考察、および給付金かもしれないパーティーの数を含んでいるかもしれない、から、あるいは許可を要求する。さらに、付値は、リスティングでともに包まれたＩＰの存続期間に依存するかもしれない。付値はエコノミストと弁護士に考察を要求するかもしれない。さらに、ＩＰの第三者定格あるいは査定はＩＰの値の決定において有用かもしれない。
【００２８】
適当なデューデリジェンスの完成に際して、ＩＰ投資銀行は、適当な注意調査に基づいたＩＰ取引交換上でＩＰがリストされるべきかどうか判断する。この決定はＩＰ投資銀行自身の下に書く基準に基づく。すべての危険でのように、いくつかの投資銀行は他のものより保守的で、適当な注意調査の上記の要因を評価する異なる標準入力を持っているかもしれない。万一ＩＰ投資銀行がＩＰ取引交換上でリストするためにＩＰを受理すれば、ＩＰ投資銀行はＩＰ権利者にリストする価格を帰し、ＩＰのリストからの現金の評価を提供する。
【００２９】
リストする価格が満足な場合、ＩＰ権利者は限定された（例えば存続期間）非独占的な基礎上で再実施権の権利を備えた知的財産のためにＩＰ投資銀行に独占的ライセンスを与えてもよい。本発明の１つの実施例に従って、ＩＰ権利者は、ＩＰをコストなしであるいは割引料金で実行する非独占的な権利を保存してもよい。本発明の別の実施例に従って、ＩＰ投資銀行は侵害者に対するＩＰを強化する能力を持っているために独占的ライセンスを得てもよい。ＩＰ権利者は、もし望まれればあるいは必要ならば、どんな施行議事録にも参加することに決めてもよい。
【００３０】
独占的ライセンスを受け取る際、ＩＰ投資銀行は、潜在的なライセンス取得者、投資者および（または）投機家を引きつけるためにＩＰ趣意書および（または）他の売買する材料を準備してもよい。これらの材料は、恐らく適当な注意調査から得られた情報を含んでいる。例えば、材料は次のものを含んでいるかもしれない：通常実施権に含まれたＩＰのリスト；ＩＰの強さの法的分析；生産することができるユニットの数および契約の期間を含む通常実施権契約の項；侵害者に対して講じられるかもしれない施行活動の性質；付値解析の部分；いつ、そして、追加のライセンスは、どの条件の下で利用可能に（例えば、ライセンス契約が連続売買日の固有番号を越えるものに対するある値を越えるものを売れば、ライセンスの新版は利用可能になるだろう）なるかもしれないか。
【００３１】
次に、ＩＰ権利者および（または）ＩＰ投資銀行はＩＰ権の最初の提供の準備をする。ストックＩＰＯでのように、ＩＰ権利者および（または）ＩＰ投資銀行はＩＰ取引交換上のあるＩＰライセンス契約をリストしようと努力する。最初の提供は、ＩＰライセンス契約の若干量、ＩＰライセンス契約のためのある持続時間あるいは存続期間と持続時間の両方の組合せに基づくかもしれない。
【００３２】
その後、ＩＰ取引交換は、ＩＰライセンス契約が交換上でリストされることを可能にする。ＩＰライセンス契約は交換のメンバーか会員会社によってリストされるかもしれない。それはＩＰ投資銀行あるいは他の投資者を含むかもしれない。あるいは、ＩＰライセンス契約はＩＰ権利者によってリストされるかもしれない。
【００３３】
ＩＰ交換は、現行在庫交換に似ているかもしれない実行デューティを交換する。例えばＩＰ取引交換モニター開示、保証トランザクション、またトランザクションを取り除く。ＩＰ取引交換は、交換によって実行された調整、および（または）どんな政府規制も含む、どんな取り引きする調整もモニターしかつ／または強化するかもしれない。あるいは、全体中の、あるいは一部分この機能は、さらにＩＰ投資銀行によって実行されるかもしれない。
【００３４】
さらに、ＩＰ取引交換は、交換上でリストするどんな必要条件もモニターしかつ／または強化するかもしれない。あるいは、モニタリングおよび（または）任意の上場基準の強化はＩＰ投資銀行によって、実行されるかもしれないか、あるいは全体の中で、あるいは一部分。上場基準（それらは交換によって作成されるかもしれない）は、知的所有権が法廷で争われたかどうかのような考察、およびそうならばそれらが法廷で争われた範囲を含んでいるかもしれない；有能な先の芸術探索が行なわれたかどうか；または、相談に関するいずれかの見解は作られたか。上記のもののような上場基準に基づいて、ＩＰライセンス契約は、異なるタイプあるいはクラスの下の交換上で別々にリストされるかもしれない。例えば、知的財産に関係のあるＩＰライセンス契約、それはそうだった、法廷で争う、知的財産に関係のある契約とは別々に分類されるかもしれない、それはそうではなかった、法廷で争う。法廷で争われた知的財産に関係のあるＩＰ契約は訴訟の範囲に依存して、さらに分類されるかもしれない。例えば、法廷で争われた知的財産に関係のあるＩＰ契約、地方裁判所、また有効で、実施可能で、見つけた、１つのクラスに置かれるかもしれない、一方、法廷で争われた知的財産に関係のあるＩＰ契約、連邦巡回裁判所あるいは最高裁判所は異なるクラスに置かれるかもしれない。さらに、相談に関する見解が作られた場合に、知的財産に関係のあるＩＰライセンス契約は、相談に関する見解が作られていない場合に、知的財産に関係のあるＩＰライセンス契約と離れているクラスに置かれるかもしれない。上記の必要条件および（または）考察の１つ以上は交換上のＩＰライセンス契約をリストするのに使用されてもよい。親戚
投資者、ライセンス取得者および許可者は、ＩＰ取引交換からのＩＰライセンス契約を購入してもよい。投資者は、いつか上値で高騰を求めるか、再度売るゴールを備えたＩＰライセンス契約を今後購入する。この意味で、ＩＰライセンス契約は先物契約に似ている。ライセンス取得者は他方では、ＩＰを実行するかあるいはＩＰの侵害使用を合法と認めるために契約を購入する。この意味で、ライセンス取得者は、実際のライセンスの配達をとる。未使用のＩＰライセンス契約は、ＩＰがもはや実行されていないかライセンスによって受理可能であると考えられるレベル内にあることを示す現在のオペレーションの監査上のＩＰ取引交換上で後で再リストされるかもしれない。さらに、将来のオペレーションがライセンスを要求し、ライセンス取得者が、再リスティングによるライセンス、次にライセンス取得者を売った場合、ＩＰ取引からの新しいライセンスを得る必要があるであろう、交換する、ために、レジューム動作。
【００３５】
本発明の１つの実施例に従って、リストするＩＰ投資銀行は、ＩＰ取引交換を通じてライセンスを購入することを拒絶する侵害者に対する、特許権侵害アクションおよび他の施行訴訟手続きを始めてもよい。ＩＰ権利者は、もし望まれればあるいは必要ならば、どんな施行訴訟手続きにも参加することに決めてもよい。ＩＰ取引交換からのＩＰライセンス契約を購入するために、侵犯アクションからの超過収益は投資銀行によって使用されてもよく、それによって、契約の価格を増加させる、ＩＰの値を上げる。
ＩＰ権の日々トランザクション
実例のみの目的のために、ＩＰ取引交換は今日のストックおよび商品取引所のハイブリッドと見なされるかもしれない。例えば、契約が一日単位で交換される場合、あるリストされたＩＰへの権利の日々のトランザクションは、従来の商品取引所に基づいて作られるかもしれない。
【００３６】
ＩＰ権の典型的な日々のトランザクションの第一歩、権利者あるいは少なくとも１つのＩＰライセンス契約の売り手の一部がリストするとして、契約および尋ねること、あるいはＩＰ取引交換の価格を指定した、次に、多数の契約が所有されるシチュエーション、ＩＰ免許状所持者はリストしてもよい、そうでなければ複合、交換上のライセンス契約のすべて。ＩＰ免許状所持者はリスティングを自体行なうかもしれない。あるいは、それは、リスティングを行なう取引所会員を保存するかもしれない。ＩＰ免許状所持者は、上値のために再度ライセンス契約を売っている投資者か投機家かもしれない。
あるいは、ＩＰ免許状所持者は、下記に述べられるように、もはやライセンスを必要としないか、超過ライセンス契約を売っているライセンス取得者かもしれない。
【００３７】
ＩＰ取引交換を通じて、買主は、要求が交換上でリストされるようなＩＰ免許状所持者の指定された価格のためにライセンス契約を買うのに十分かどうか判断する。買主が指定された代償を払いたくなければ、売り手は代償が市場においてより魅力的になるような時間までライセンス契約を保存する。あるいは、売り手は、買主を引きつけるために言い値を低下させるかもしれない。それは終了が切迫している場合に、ライセンス契約を売るのに必要かもしれない。
【００３８】
買主が指定された代償を喜んで払えば、販売は大引けの方へ前進する。典型的には、取引所会員は指定された価格で買主を代表してライセンス契約を購入する。また、ＩＰ取引交換はトランザクションを取り除く。大部分の中で、任意のシチュエーション、ＩＰ取引交換はどんな開示および保証もモニターし、トランザクションを取り除く。
【００３９】
投資者と、買主は、価格が買主が契約を売るのに魅力的になるような時間までライセンス契約を保持してもよい。終了が切迫している場合、買主は割引値段でさえライセンス契約を恐らく売ることを強いられるかもしれない。
【００４０】
ライセンス取得者か許可者のシチュエーションで、買主は、満期の向こうの契約を保持し、実際のライセンスの配達をとるかもしれない。例えば、ライセンス取得者はＩＰを実行するかあるいは侵害しているかもしれない現在のオペレーションを合法と認めるために実際のライセンスを要求してもよい。典型的には、実際のライセンスはライセンスを保持する専門家によって伝えられる。
【００４１】
実際のライセンスの配達が生じたところで、ライセンスのホルダーは単にＩＰがもはや実行されていないかライセンスによって受理可能であると考えられるレベル内にあることを示す現在のオペレーションの監査上のライセンスを再リストしてもよい。さらに、将来のオペレーションがライセンスを要求し、ライセンス取得者が、再リスティングによるライセンス、次にライセンス取得者を売った場合、ＩＰ取引からの新しいライセンスを得る必要があるであろう、交換する、ために、レジューム動作。
【００４２】
契約はＩＰ取引交換上でリストされているが、最初にトランザクションまたはそのエージェントをリストしたＩＰ投資銀行は、交換からのライセンスを購入するように潜在的なライセンス取得者を激励してもよい。許可および（または）販売運動を行なうことは、しばしばライセンスに対する関心を促進する。それは、市場のアクティビティを生成し、結局、交換価格およびＩＰ価値を上げるかもしれない。
【００４３】
売買活動によって、追加のライセンス契約をリリースすることが必要かもしれない。
例えば、ライセンス契約が連続売買日の固有番号よりより多くの物に対するある値を越えるものを売る場合、ライセンスの新版は恐らく保証した。最初の提供は、追加のライセンスがリリースされるかもしれない条件を規定する。最初の提供、ＩＰライセンス契約の若干量に恐らく基づいた追加のライセンスのリリース、ＩＰライセンス契約のためのある持続時間あるいは存続期間と持続時間の両方の組合せでのように。例えば、最初の提供は次のことを規定するかもしれない、リリース、多くの場合新しいライセンス、既存のライセンスの取り引きが３０の日計り商い期間を越えるものの間いつ１，０００，０００ドルを超過するか保証される。新しいライセンスの第２の提供は条件を下に規定するかもしれない、どれ、しかし、新しいライセンスの別のリリースは保証されるかもしれない。追加のライセンスは上に記述された最初のリリースに似ているやり方でリリースされる。その後、日々のトランザクションに関して上に記述されるように、新しいライセンスは買われ売られる。
【００４４】
次に、本発明、投資銀行あるいはそのエージェントの１つの実施例を備えた一致は、潜在的なライセンス取得者がどこでＩＰを侵害しているかもしれないか、ライセンスを購入することを拒絶するかのようなライセンスを購入することを潜在的なライセンス取得者に要求するために法的行為をとるかもしれない。ＩＰ権利者は、もし望まれればあるいは必要ならば、どんな施行訴訟手続きにも参加することに決めてもよい。法的行為の任意の解像度から生成された余剰資金はＩＰ取引交換からのライセンスを購入するために使用されるかもしれない。それは、訴訟の高コストを緩和し、同時に、ＩＰの契約および値の価格を増加させる。
好適実施例の詳細な説明
本発明は、本発明の好ましい実施例が示される図に関して今より完全に記述されるだろう。しかしながら、この開示の主題は様々な形式で具体化されるかもしれないし、ここに述べられた具体化に制限されたこととして解釈されるべきでない。
【００４５】
今図面を参照すること。そこでは参照数字がいくつかの視界の全体にわたって同一か対応する半製品を指定するように、図１は本発明のまもなく好ましい実施例によるＩＰ取引交換上のライセンスの最初の提供のステップを示す。
【００４６】
最初に、ＩＰ権利者１０は、それが許可することを望むＩＰを識別する。ＩＰは特許、著作権、トレード・マーク、トレードドレスおよび業務上の秘密を含んでいるかもしれない。さらに、ＩＰは交付済み特許、公認の著作権、登録商標あるいは他の与えられたか公認のＩＰを含んでいるかもしれない。さらに、ＩＰは商標出願、あるいは他の未決のＩＰ出願か、レジストレーションを保留にして、係属特許出願を含んでいるかもしれない。その後、ＩＰ権利者１０は、リスティングおよび証券発行引受プロセスを行なうＩＰ投資銀行１２からの努力を請求する。
【００４７】
その後、ＩＰ投資銀行１２はリストし証券発行引受プロセスを得ようと競り合う。また、ＩＰ権利者１０は、銀行のうちの１つを典型的に選ぶ、最低入札人、プロセスを前に伴うために投資銀行１２、典型的に、空電解処理、リストし証券発行引受プロセスのための料金体系、ＩＰの成功に基づいた固定料金、成功あるいはパーセンテージ料金かもしれない、最初の提供、あるいは固定でと成功の両方料金の組合せ。
【００４８】
選ばれたＩＰ投資銀行１２は、リスティング・プロセスの適当なデューデリジェンスを始める。
適当なデューデリジェンスは次のものを含んでいるかもしれない：リスティング用のＩＰをパッケージにすること；ＩＰの強さおよび所有権の法的分析を行なうこと；ライセンス取得者からＩＰまで製品、ＩＰを侵害するかもしれないし、要求するかもしれないパーティーあるいは給付金の市場分析を行なうこと；評価分析を行なうこと；またＩＰを売ること。適当なデューデリジェンスはＩＰ権利者１０によって導かれるかもしれないか、あるいは弁護士、エコノミスト、市場調査会社あるいは他の専門家およびサードパーティに脱退した。
【００４９】
適当なデューデリジェンスの完成に際して、ＩＰ投資銀行１２は、適当な注意調査に基づいた、ＩＰ取引交換１４上でＩＰがリストされるべきかどうか判断する。この決定はＩＰ投資銀行自身の下に書く基準に基づく。すべての危険でのように、いくつかの銀行は他のものより保守的で、適当な注意調査の上記の要因を評価する異なる標準入力を持っているかもしれない。万一ＩＰ投資銀行１２が交換１４を交換するＩＰの上でリストするためにＩＰを受理すれば、ＩＰ投資銀行１２はＩＰ権利者１０にリストする価格を帰し、ＩＰのリストからの現金の評価を提供する。
【００５０】
リストする価格が満足な場合、ＩＰ権利者１０はＩＰ投資銀行１２を与えてもよい、限定された（例えば存続期間）非独占的な基礎上の再実施権の権利を備えた知的財産用の独占的ライセンス。さらに、ＩＰ権利者１０は、ＩＰをコストなしであるいは割引料金で実行する非独占的な権利を保存してもよい。さらに、ＩＰ投資銀行１２は侵害者に対するＩＰを強化する能力を持っているために独占的ライセンスを得てもよい。
【００５１】
独占的ライセンスを受け取る際、ＩＰ投資銀行１２は、潜在的なライセンス取得者、投資者および（または）投機家を引きつけるためにＩＰ趣意書および（または）他の売買する材料を準備してもよい。これらの材料は、恐らく適当な注意調査から得られた情報を含んでいる。例えば、材料は次のものを含んでいるかもしれない：通常実施権に含まれたＩＰのリスト；ＩＰの強さの法的分析；生産することができるユニットの数および契約の期間を含む通常実施権契約の項；施行活動の性質、侵害者に対して恐らく得られたそれ；
付値解析の部分；いつ、そしてどんな条件の下で、利用可能に（例えば、ライセンス契約が連続売買日の固有番号を越えるものに対するある値を越えるものを売れば、ライセンスの新版は利用可能になるだろう）恐らくなった追加のライセンス。
【００５２】
次に、ＩＰ権利者１０および（または）投資銀行１２は、ＩＰ権の最初の提供の準備をする。ストックＩＰＯでのように、投資銀行１２は交換１４を交換するＩＰの上のあるＩＰライセンス契約をリストしようと努力する。ＩＰライセンス契約のリスティングは存続期間、持続時間あるいは両方の組合せに基づくかもしれない。
【００５３】
その後、ＩＰ取引交換１４は、会員会社が交換上のＩＰライセンス契約をリストすることを可能にする。ＩＰ交換は現行在庫交換に似ている１４の実行デューティを交換する。例えば、ＩＰ交換は１４のモニター開示を交換する、保証トランザクション、またトランザクションを取り除く。
【００５４】
投機家および投資者１６および（または）ライセンス取得者１８は、交換１４を交換するＩＰからのＩＰライセンス契約を購入してもよい。上値で高騰を求めるか、再度売るゴールを持った、投機家および投資者１６購入ＩＰライセンス契約、で、いつか今後、次に、この感覚、ＩＰライセンス契約は先物契約に似ている。ライセンス取得者１８は他方では、ＩＰを実行するかあるいは合法と認めるために契約を購入する、侵害することはＩＰに使用する。次に、この感覚、ライセンス取得者１８は、実際のライセンスの配達をとる。未使用のＩＰライセンス契約は、ＩＰがもはや実行されていないかライセンスによって受理可能であると考えられるレベル内にあることを示す現在のオペレーションの監査上のＩＰ取引交換１４上で後で再リストされるかもしれない。さらに、将来のオペレーションがライセンスを要求し、ライセンス取得者１８が、再リスティングによるライセンス、次にライセンス取得者１８を売った場合、ＩＰ交換からの新しいライセンスを得る必要があるであろう、１４を交換する、ために、レジューム動作。
【００５５】
リストするＩＰ投資銀行１２は、交換１４を交換するＩＰによってライセンスを購入することを拒絶する侵害者に対する、特許権侵害アクションおよび他の施行訴訟手続きを始めてもよい。ＩＰ権利者１０は、もし望まれればあるいは必要ならば、どんな施行訴訟手続きにも参加することに決めてもよい。交換１４を交換するＩＰからのＩＰライセンス契約を購入するために、侵犯アクションからの超過収益は投資銀行１２によって使用されてもよく、それによって、契約の価格を増加させる、ＩＰの値を上げる。
【００５６】
図２は、本発明のまもなく好ましい実施例によるＩＰ取引交換上の典型的な日々のトランザクションを示す。
ＩＰ権の典型的な日々のトランザクションの第一歩の一部として、少なくとも１つのＩＰライセンス契約のＩＰ契約権利者２０は、契約と尋ねることをリストするか、あるいは交換１４を交換するＩＰの価格を指定した。多数の契約が所有されるシチュエーションで、交換上のライセンス契約のすべてではない場合、ＩＰ契約権利者２０は倍数をリストしてもよい。ＩＰ契約権利者２０はリスティングを自体行なうかもしれない。あるいは、リスティングを行なうことは取引所会員２２を保存するかもしれない。ＩＰ契約権利者２０は、上値のために再度ライセンス契約を売っている投資者か投機家かもしれない。あるいは、ＩＰ契約権利者２０は、下記に述べられるように、もはやライセンスを必要としないか、超過ライセンス契約を売っているライセンス取得者かもしれない。
【００５７】
交換１４を交換するＩＰによって、買主は、要求が交換上でリストされるようなＩＰ契約権利者の指定された価格のためにライセンス契約を買うのに十分かどうか判断する。買主が指定された代償を払いたくなければ、ＩＰ契約権利者２０は代償が市場においてより魅力的になるような時間までライセンス契約を保存する。あるいは、ＩＰ契約権利者２０は、買主を引きつけるために言い値を低下させるかもしれない。それは終了が切迫している場合に、ライセンス契約を売るのに必要かもしれない。
【００５８】
買主２４が指定された代償を喜んで払えば、販売は大引けの方へ前進する。典型的には、取引所会員２２は指定された価格で買主２４を代表してライセンス契約を購入する。また、交換１４を交換するＩＰはトランザクションを取り除く。大部分の中で、任意のシチュエーション、ＩＰ交換は１４のモニターを交換する、任意の開示および保証、またトランザクションを取り除く。
【００５９】
買主２４が投資者か投機家である場合、買主２４は、価格が契約を売るために買主２４に魅力的になるような時間までライセンス契約を保持してもよい。終了が切迫している場合、買主２４は割引値段でさえライセンス契約を恐らく売ることを強いられるかもしれない。
【００６０】
買主２４がライセンス取得者である場合、買主２４は満期の向こうの契約を保持し、実際のライセンスの配達をとるかもしれない。例えば、ライセンス取得者はＩＰを実行するかあるいは侵害しているかもしれない現在のオペレーションを合法と認めるために実際のライセンスを要求してもよい。典型的には、実際のライセンスはライセンスを保持する専門家によって伝えられる。
【００６１】
実際のライセンスの配達が生じたところで、ライセンスのホルダーは単にＩＰがもはや実行されていないかライセンスによって受理可能であると考えられるレベル内にあることを示す現在のオペレーションの監査上のライセンスを再リストしてもよい。さらに、将来のオペレーションがライセンスを要求し、ライセンス取得者が、再リスティングによるライセンス、次にライセンス取得者を売った場合、ＩＰ交換からの新しいライセンスを得る必要があるであろう、１４を交換する、ために、レジューム動作。
【００６２】
契約は交換１４を交換するＩＰの上でリストされているが、最初にトランザクションまたはそのエージェントをリストしたＩＰ投資銀行は、交換からのライセンスを購入するように潜在的なライセンス取得者を激励してもよい。許可および（または）販売運動を行なうことは、しばしばライセンスに対する関心を促進する。それは、市場のアクティビティを生成し、結局、交換価格およびＩＰ価値を上げるかもしれない。
【００６３】
売買活動によって、追加のライセンス契約をリリースすることが必要かもしれない。例えば、ライセンス契約が連続売買日の固有番号を越えるものに対するある値を越えるものを売る場合、ライセンスの新版は保証されるかもしれない。最初の提供は、追加のライセンスがリリースされるかもしれない条件を規定する。例えば、最初の提供は次のことを規定するかもしれない、リリース、多くの場合新しいライセンス、既存のライセンスの取り引きが３０の日計り商い期間を越えるものの間いつ１，０００，０００ドルを超過するか保証される。新しいライセンスの第２の提供は条件を下に規定するかもしれない、どれ、しかし、新しいライセンスの別のリリースは保証されるかもしれない。追加のライセンスは上に記述された最初のリリースに似ているやり方でリリースされる。その後、日々のトランザクションに関して上に記述されるように、新しいライセンスは買われ売られる。
【００６４】
さらに、投資銀行またはそのエージェントは、潜在的なライセンス取得者がどこでＩＰを侵害しているかもしれないか、ライセンスを購入することを拒絶するかのようなライセンスを購入することを潜在的なライセンス取得者に要求するために法的行為をとってもよい。もし望まれれば、あるいは必要ならば、ＩＰ権利者はどんな施行訴訟手続きにも参加してもよい。法的行為の任意の解像度から生成された余剰資金はＩＰ取引交換からのライセンスを購入するために使用されるかもしれない。それは、訴訟の高コストを緩和し、同時に、ＩＰの契約および値の価格を増加させる。
【００６５】
多くの変更および変更が、この説明を読む当業者に思い浮かぶだろう。発明の精神の範囲内あるような変更および変更はすべて、特許請求の範囲に含まれるように意図される。
【図面の簡単な説明】
【００６６】
【図１】本発明による知的財産取引交換装置の実施例において最初にライセンスが提供されるステップを示している。
【図２】本発明による知的財産取引交換装置の実施例における典型的な日常的なトランザクションを示している。
【図１】
2009521734.tif 000003
【図２】
2009521734.tif 000004
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
知的財産権の取引を容易化するコンピュータ化された知的財産取引交換装置であって、
知的財産権に関する単位化された少なくとも１つの知的財産ライセンス契約を記憶するように構成されたコンピュータ化された記憶装置であって、前記単位化された少なくとも１つのライセンス契約は所定の量の例において前記知的財産を実施（practice）するためのライセンスを提供する権利を含む、コンピュータ化された記憶装置と、
取引の少なくとも１つの規制と前記コンピュータ化された交換装置でのリスト化の少なくとも１つの要件（requirement）とを定義するコンピュータ・アクセス可能なフォーラムであって、複数の参加者が前記単位化された少なくとも１つのライセンス契約を取り引きすることを可能にし、前記複数の参加者は、
前記単位化された少なくとも１つのライセンス契約を有しており、前記単位化された少なくとも１つのライセンス契約を取り引きすることを希望する少なくともひとりの売主と、
前記単位化された少なくとも１つのライセンス契約を取得することを希望する少なくともひとりの買主と、
を含むフォーラムと、
を含むことを特徴とする知的財産取引交換装置。
【請求項２】
請求項１記載の取引交換装置において、前記知的財産権は、特許、著作権、商標、トレードドレス（trade dress）及びトレード・シークレットから構成されるグループから選択されることを特徴とする取引交換装置。
【請求項３】
請求項１記載の取引交換装置において、前記知的財産権は、登録された特許、登録された著作権、登録された商標及び任意のそれ以外の付与された又は登録された知的財産から構成されるグループから選択されることを特徴とする取引交換装置。
【請求項４】
請求項１記載の取引交換装置において、前記知的財産権は、継続中の特許出願、継続中の商標登録出願及び任意のそれ以外の継続中の知的財産出願又は登録から構成されるグループから選択されることを特徴とする取引交換装置。
【請求項５】
請求項１記載の取引交換装置において、前記複数の参加者は、前記単位化された少なくとも１つのライセンス契約の前記希望されている取引を引き受ける（アンダーライトする）ことが可能な少なくとも１つの投資銀行を更に含むことを特徴とする取引交換装置。
【請求項６】
請求項５記載の取引交換装置において、前記少なくとも１つの投資銀行は前記単位化された少なくとも１つのライセンス契約をチェックして前記交換装置におけるリスト化の前記少なくとも１つの要件とのコンプライアンスを確認できることを特徴とする取引交換装置。
【請求項７】
請求項５記載の取引交換装置において、前記少なくとも１つの投資銀行は前記知的財産権のレーティングをすることができ、前記レーティングは前記知的財産権の法的分析に基づいて前記知的財産権の強さを示すことを特徴とする取引交換装置。
【請求項８】
請求項５記載の取引交換装置において、前記少なくとも１つの投資銀行は前記取引トランザクションの間に前記知的財産権を保証することができることを特徴とする取引交換装置。
【請求項９】
請求項５記載の取引交換装置において、前記少なくとも１つの投資銀行は前記知的財産権の市場性分析（marketability analysis）に基づいて前記知的財産権を評価することを特徴とする取引交換装置。
【請求項１０】
請求項５記載の取引交換装置において、前記少なくとも１つの投資銀行は侵害者及び／又は前記単位化された少なくとも１つのライセンス契約を購入することを拒否する者に対して前記知的財産権を執行することができることを特徴とする取引交換装置。
【請求項１１】
請求項５記載の取引交換装置において、前記少なくとも１つの投資銀行は任意の執行手続きからの収益を用いて単位化された少なくとも１つのライセンス契約を購入することができることを特徴とする取引交換装置。
【請求項１２】
請求項１記載の取引交換装置において、前記少なくともひとりの買主は単位化された少なくとも１つのライセンス契約を購入して価格の上昇（appreciation）を達成するように構成されている投資家を含むことを特徴とする取引交換装置。
【請求項１３】
請求項１２記載の取引交換装置において、前記投資家は前記少なくともひとりの売主、前記少なくともひとりの買主又は投資銀行に代わって行為することを特徴とする取引交換装置。
【請求項１４】
請求項１２記載の取引交換装置において、前記投資家は値付け業者（market maker）、投機家（speculator）又は裁定取引人（arbitrageur）を含むことを特徴とする取引交換装置。
【請求項１５】
請求項１２記載の取引交換装置において、前記少なくともひとりの投資家はライセンシーであることを特徴とする取引交換装置。
【請求項１６】
請求項１記載の取引交換装置において、前記少なくともひとりの買主は、単位化された少なくとも１つのライセンス契約を購入して前記知的財産権を実施（practice）するように構成されていることを特徴とする取引交換装置。
【請求項１７】
請求項１記載の取引交換装置において、前記少なくともひとりの売主は、前記知的財産権の権利者、投資銀行又は投資家を含むことを特徴とする取引交換装置。
【請求項１８】
知的財産権に関する単位化された少なくとも１つのライセンス契約を前記単位化されたライセンス契約の少なくともひとりの売主からコンピュータ・アクセス可能な知的財産交換装置を通じて少なくともひとりの買主に取り引きする方法であって、
所定の量の例において前記知的財産を実施するライセンスを記述する情報をコンピュータ化された記憶装置に記憶することによって、前記コンピュータ・アクセス可能な知的財産交換装置において前記単位化された少なくとも１つのライセンス契約をリスト化する前記少なくともひとりの売主を記述する情報をコンピュータ化された記憶装置に記憶するステップと、
前記コンピュータ・アクセス可能な知的財産交換装置を通じて前記単位化された少なくとも１つのライセンス契約を購入する前記少なくともひとりの買主を記述する情報を前記コンピュータ化された記憶装置に記憶するステップと、
マイクロプロセッサにおいて、前記単位化された少なくとも１つのライセンス契約の前記買主による前記購入の清算（clearing）を処理するステップと、
を含むことを特徴とする方法。
【請求項１９】
請求項１８記載の方法において、前記知的財産権は、特許、著作権、商標、トレード・ドレス及びトレード・シークレットから構成されるグループから選択されることを特徴とする方法。
【請求項２０】
請求項１８記載の方法において、前記知的財産権は、登録された特許、登録された著作権、登録された商標及び任意のそれ以外の付与された又は登録された知的財産から構成されるグループから選択されることを特徴とする方法。
【請求項２１】
請求項１８記載の方法において、前記知的財産権は、継続中の特許出願、継続中の商標登録出願及び任意のそれ以外の継続中の知的財産出願又は登録から構成されるグループから選択されることを特徴とする方法。
【請求項２２】
請求項１８記載の方法において、前記少なくともひとりの買主は前記単位化された少なくとも１つのライセンス契約を購入して価格の上昇（appreciation）を達成する投資家を含むことを特徴とする方法。
【請求項２３】
請求項２２記載の方法において、前記投資家は値付け業者（market maker）、投機家又は裁定取引人（arbitrageur）を含むことを特徴とする方法。
【請求項２４】
請求項１８記載の方法において、前記少なくともひとりの買主は、前記単位化された少なくとも１つのライセンス契約を購入して前記知的財産権を実施することを特徴とする方法。
【請求項２５】
請求項１８記載の方法において、前記少なくともひとりの売主は、前記知的財産の権利者、投資銀行又は投資家を含むことを特徴とする方法。
【請求項２６】
知的財産権に関する単位化された契約を前記知的財産権の少なくともひとりの売主からコンピュータ・アクセス可能な知的財産交換装置を通じて少なくともひとりの買主に取り引きする方法であって、
所定の量の例において前記知的財産を実施するためのライセンスを提供する権利を含む前記知的財産権の排他的ライセンス（専用実施権、exclusive license）を少なくとも１つの投資銀行に提供する前記少なくともひとりの売主を記述する情報をコンピュータ化された記憶装置に記憶するステップと、
前記知的財産権の前記排他的ライセンスを受諾する前記少なくとも１つの投資銀行を記述する情報をコンピュータ化された記憶装置に記憶するステップと、
前記知的財産権の前記単位化された少なくとも１つのライセンス契約を前記知的財産交換装置においてリスト化する前記少なくとも１つの投資銀行の条件（terms）を記述する情報をコンピュータ化された記憶装置に記憶するステップと、
前記知的財産交換装置を通じて前記単位化された少なくとも１つのライセンス契約を購入する前記少なくともひとりの買主を記述する情報をコンピュータ化された記憶装置に記憶するステップと、
マイクロプロセッサにおいて、前記単位化された少なくとも１つのライセンス契約の前記買主による前記購入の清算（clearing）を処理するステップと、
を含むことを特徴とする方法。
【請求項２７】
請求項２６記載の方法において、前記少なくとも１つの投資銀行は前記知的財産権を侵害者及び／又は前記単位化された少なくとも１つのライセンス契約を購入することを拒否する者に対して執行することができることを特徴とする方法。
【請求項２８】
請求項２６記載の方法において、前記少なくともひとりの買主は前記単位化された少なくとも１つのライセンス契約を購入して価格の上昇（appreciation）を達成する投資家を含むことを特徴とする方法。
【請求項２９】
請求項２６記載の方法において、前記少なくともひとりの買主は、前記単位化された少なくとも１つのライセンス契約を購入して前記知的財産権を実施することを特徴とする方法。
【請求項３０】
請求項２６記載の方法において、前記少なくともひとりの売主は、前記知的財産の権利者、投資銀行又は投資家を含むことを特徴とする方法。
【請求項３１】
請求項１記載のコンピュータ化された知的財産取引交換装置において、前記単位化された少なくとも１つのライセンス契約は一群の知的財産権に関するものであることを特徴とするコンピュータ化された知的財産取引交換装置。
【請求項３２】
請求項３１記載のコンピュータ化された知的財産取引交換装置において、前記一群の知的財産権は一般的な商品に関するものであって特許、商標及び／又は著作権を含むことを特徴とするコンピュータ化された知的財産取引交換装置。
【請求項３３】
請求項３１記載のコンピュータ化された知的財産取引交換装置において、前記一群の知的財産権は権利の一般的な集合（common family of rights）に関するものであることを特徴とするコンピュータ化された知的財産取引交換装置。
【請求項３４】
請求項１８記載の方法において、前記単位化された少なくとも１つのライセンス契約は一群の知的財産権に関するものであることを特徴とする方法。
【請求項３５】
請求項３４記載の方法において、前記一群の知的財産権は一般的な商品に関するものであって特許、商標及び／又は著作権を含むことを特徴とする方法。
【請求項３６】
請求項３４記載の方法において、前記一群の知的財産権は権利の一般的な集合に関するものであることを特徴とする方法。
【請求項３７】
請求項２６記載の方法において、前記単位化された少なくとも１つのライセンス契約は一群の知的財産権に関するものであることを特徴とする方法。
【請求項３８】
請求項３７記載の方法において、前記一群の知的財産権は一般的な商品に関するものであって特許、商標及び／又は著作権を含むことを特徴とする方法。
【請求項３９】
請求項３７記載の方法において、前記一群の知的財産権は権利の一般的な集合に関するものであることを特徴とする方法。
【請求項４０】
請求項１８記載の方法において、前記購入の清算を処理する前記ステップは、前記少なくともひとりの売主と前記少なくとも１つの買主とを記述する前記情報を修正して、前記単位化された少なくとも１つのライセンス契約に対する権利が前記少なくともひとりの売主から前記少なくともひとりの買主に移転したことを示すステップを更に含むことを特徴とする方法。
【請求項４１】
請求項４０記載の方法において、前記購入の清算を処理する前記ステップは、前記少なくともひとりの売主と前記少なくとも１つの買主とを記述する前記情報を修正して、補償（compensation）が前記少なくともひとりの買主から前記少なくともひとりの売主に移転したことを示すステップを更に含むことを特徴とする方法。
【請求項４２】
請求項２６記載の方法において、前記購入の清算を処理する前記ステップは、前記少なくともひとりの売主と前記少なくとも１つの買主とを記述する前記情報を修正して、前記単位化された少なくとも１つのライセンス契約に対する権利が前記少なくともひとりの売主から前記少なくともひとりの買主に移転したことを示すステップを更に含むことを特徴とする方法。
【請求項４３】
請求項４２記載の方法において、前記購入の清算を処理する前記ステップは、前記少なくともひとりの売主と前記少なくとも１つの買主とを記述する前記情報を修正して、補償（compensation）が前記少なくともひとりの買主から前記少なくともひとりの売主に移転したことを示すステップを更に含むことを特徴とする方法。
【請求項４４】
請求項１記載のコンピュータ化された知的財産取引交換装置において、前記知的財産を実施するための前記ライセンスは、前記知的財産権の執行（enforcement）に関する条件を提供することを特徴とするコンピュータ化された知的財産取引交換装置。
【請求項４５】
請求項１記載のコンピュータ化された知的財産取引交換装置において、前記知的財産を実施するための前記ライセンスは、前記知的財産権の転売（resale）に関する条件を提供することを特徴とするコンピュータ化された知的財産取引交換装置。
【請求項４６】
請求項１記載のコンピュータ化された知的財産取引交換装置において、前記知的財産を実施するための前記ライセンスは、前記知的財産権の使用の報告（reporting of use）に関する条件を提供することを特徴とするコンピュータ化された知的財産取引交換装置。
【請求項４７】
請求項１記載のコンピュータ化された知的財産取引交換装置において、前記知的財産を実施するための前記ライセンスは、特定の使用期間を提供することを特徴とするコンピュータ化された知的財産取引交換装置。
【請求項４８】
請求項１８記載の方法において、前記知的財産を実施するための前記ライセンスは、前記知的財産権の執行に関する条件を提供することを特徴とする方法。
【請求項４９】
請求項１８記載の方法において、前記知的財産を実施するための前記ライセンスは、前記知的財産権の転売に関する条件を提供することを特徴とする方法。
【請求項５０】
請求項１８記載の方法において、前記知的財産を実施するための前記ライセンスは、前記知的財産権の使用の報告に関する条件を提供することを特徴とする方法。
【請求項５１】
請求項１８記載の方法において、前記知的財産を実施するための前記ライセンスは、特定の使用期間を提供することを特徴とする方法。
【請求項５２】
請求項２６記載の方法において、前記知的財産を実施するための前記ライセンスは、前記知的財産権の執行に関する条件を提供することを特徴とする方法。
【請求項５３】
請求項２６記載の方法において、前記知的財産を実施するための前記ライセンスは、前記知的財産権の転売に関する条件を提供することを特徴とする方法。
【請求項５４】
請求項２６記載の方法において、前記知的財産を実施するための前記ライセンスは、前記知的財産権の使用の報告に関する条件を提供することを特徴とする方法。
【請求項５５】
請求項２６記載の方法において、前記知的財産を実施するための前記ライセンスは、特定の使用期間を提供することを特徴とする方法。
【請求項５６】
請求項１記載のコンピュータ化された知的財産取引交換装置において、取引の前記少なくとも１つの規制は前記知的財産権の執行に関するものであることを特徴とするコンピュータ化された知的財産取引交換装置。
【請求項５７】
請求項１記載のコンピュータ化された知的財産取引交換装置において、取引の前記少なくとも１つの規制は前記知的財産権を実施するためのライセンスの転売に関するものであることを特徴とするコンピュータ化された知的財産取引交換装置。
【請求項５８】
請求項１記載のコンピュータ化された知的財産取引交換装置において、取引の前記少なくとも１つの規制は前記知的財産権を実施するためのライセンスの使用の報告に関するものであることを特徴とするコンピュータ化された知的財産取引交換装置。
【請求項５９】
請求項１記載のコンピュータ化された知的財産取引交換装置において、リスト化の前記少なくとも１つの要件は前記知的財産権の執行に関するものであることを特徴とするコンピュータ化された知的財産取引交換装置。
【請求項６０】
請求項１記載のコンピュータ化された知的財産取引交換装置において、リスト化の前記少なくとも１つの要件は前記知的財産権を実施するためのライセンスの価格に関するものであることを特徴とするコンピュータ化された知的財産取引交換装置。
【請求項６１】
請求項１記載のコンピュータ化された知的財産取引交換装置において、リスト化の前記少なくとも１つの要件は前記知的財産権を実施するためのライセンスの使用の分野に関するものであることを特徴とするコンピュータ化された知的財産取引交換装置。